(57)【要約】      （修正有）【課題】農業用地は不動産なので天候次第によっては農作物の収穫量に変化がある。従来の公知の船及び船舶を製造するための材料の重量では農業用地に匹敵するほどの広大な面積を所有する船及び船舶は製造できない。【解決手段】独立気泡体である発泡スチロールを利用して、広大な面積でしかも大きな体積を所有する船１を製造し、農業及びその他の生業を兼業し、現実に稼動しているＧＰＳ装置を搭載し、気象衛星と交信すれば、天候を正確に把握しながら海上においてなら地球上のどこへでも安定した航行で移動できるので、農作物の安定獲保が可能となる。【選択図】図２
2010064730.tif 000002
【特許請求の範囲】
【請求項１】
一塊の独立気泡体を船として使用する。前記船は農業用地として使用可能なものである。
【発明の詳細な説明】
【技術分野】
【０００１】  本発明は地球上の陸地よりも広大な海という他の惑星や衛星にはほとんど存在しない液体状の海水という組成物をさらにもっとよく利用しようとする事に関するものである。発泡スチロールという公知の工業製品は僅かな石油を原料とする以外は空気で製造されたものであり独立気泡体という構造物であることにより重量が軽く、さらに水に対する浮力が大きいので前記水に浮かべればその全体が露出するようにして水に浮かぶ。
【背景技術】
【０００２】  従来の公知の船及び船舶は木材や鉄等のような重い材料で製造されている。発泡スチロールのような独立気泡体は原材料を除いてそのほとんどが空気で形成されているので前記木材や金属等と比較して単位体積あたりの比重が非常に軽い。
【発明の開示】
【発明が解決しようとする課題】
【０００３】  地球上に存在する陸地と海では前記海の方が面積が大きい。にもかかわらず従来の船においては運輸業と漁業以外の事においてはほとんど利用されていない。前記海は悪天候時、例えば時化や台風等以外では小波がある程度でその形状は平面状に形成される。それは前記地球が発生する重力と液体である水というものの性質に依っている。ゆえに船は地球上のどこへでも自由自在に航行できる。従来の公知の船は木材や金属等のような重い物で製造されているのでその製造から前記海に運搬するまでの工程等を考慮すれば前記船全体の重量のせいでその面積及び体積には限界があった。農業用地のように広大な面積を有する大きな船は製造できない。従来の前記農業用地は土地という不動産なので気象における天候次第によっては不作になることもありそのため農作物の価格の変動が起きやすい。近年においては農作物がエネルギーとしても活用できること等から農業は重要視されている。
【課題を解決するための手段】
【０００４】  農業用地というものは広大な面積を必要とする。発泡スチロールで広大な面積及び体積を有する船を製造する。本発明においては土地という広大であるけれども移動する事が不可能な不動産に対する可動である前記船が海という広大な面積の平面上を自由自在に移動することで水害や旱魃が無い新しい農業用地を可能としさらに前記船全体の大きな体積を利用して不動産業を営めさらに運輸業や漁業も営める前記船を製造しようとするものである。
【発明の効果】
【０００５】  本発明により農作物の収獲量の安定確保を得られるので農業が可能となり。さらに海中に回遊及び生息している豊富な魚介類を得ることで漁業が可能となり。さらに広々とした生活空間を得ることで不動産業が可能となり。船であることから運輸業を営むことも可能となる。海上だと害虫等が寄りつきにくいという利点もある。
【発明を実施するための最良の形態】
【０００６】  図１は一塊の独立気泡体である発泡スチロールで製造された船であり符号１で示したのはその立体図である。符号２は符号４の海上に浮かぶ石油タンカーであり符号１と符号２とでその大きさの違いを比較できる。符号３は石油タンカーが航行している時に発生している波である。符号５は本発明の特徴を説明するために設置された錘であり符号１の船の先端に置かれている。これは水に浮かぶ物体の最も不安定な状態を人工的に設定したものである。符号５の錘の重量はベクトル６である図２は図１に対する立面図である。符号１の船は浮力の大きい一塊の発泡スチロールで製造されているので符号１の船が符号４の海に沈もうとするベクトル６の作用に対する反作用とするベクトル７の浮力の抵抗により符号１の船が符号４の海に沈もうとする力である符号６のベクトルは符号８のベクトルにまでその力は減少する。さらに符号５の錘は符号１０の支点を中心に符号８のベクトルの力で符号１の船全体を回転、もしくは転倒させようとするが、符号１０の支点と符号８のベクトルの起点である力点がほぼ重なる位置にあるので符号９の距離が大きな抵抗力となり符号１１の作用点から発生する符号１２のベクトルは符号８のベクトルの力と比較して小さい力となるので符号１の船は符号４の海水上においてほとんど傾斜せず僅かな水深でも航行可能となる。これはアルキメデスの浮力の原理と梃の原理を同時に利用したものである。符号１の船上には符号５の錘がどの位置に移動してもバラスト水を必要とせず符号１の船は安定した航行が可能である。ちなみに符号５の錘の重量は符号１の船全体の重量のおよそ５〜１０倍ぐらいである。符号１の船の形状は図１及び図２で示すように直方体であるが円柱形でも可能である。符号１の船全体の重量は従来の公知の木材や金属その他の材料で製造された船及び船舶よりも単位体積あたりの比重が軽量なので推進力を得るための動力は従来の公知の技術が使用可能である。
【実施例】
【０００７】  第３図は本発明の実施例であり、小規模な実験を行ったものである。符号１３は水に浮かぶ一塊の発泡スチロールでありその重量は約２〜４ｇ程である。符号１４は錘としての分銅で２０ｇの重量があり前記発泡スチロールの先端に設置されている。符号１５及び符号１６は一辺の長さで、それぞれ等距離でおよそ２０ｃｍ程ある。符号１７は高さでありおよそ３ｃｍ程ある。符号１３の発泡スチロールの形状は直方体である。符号１８は水深であり約１ｃｍ弱の深さがある。符号１３の発泡スチロールは符号１４の錘によって僅かに傾斜するが前記発泡スチロールを動かそうとして指等で押せば前記発泡スチロールは水底に触れずに水面上を軽快に移動できる。
【産業上の利用可能性】
【０００８】  本発明である一塊の独立気泡体を船として利用すれば農業及び漁業及び運輸業及び不動産業を同時に兼業することが可能なのでその収益性は高く産業上の利用可能性は大きい。
【図面の簡単な説明】
【０００９】
【図１】  符号１は本発明である船の立体図である。符号２は符号４の海上を航行している石油タンカーである。
【図２】  図１の立面図であり符号１の船の形状の意味を説明したものである。
【図３】  本発明を小規模にして実際に一塊の発泡スチロールで実験を行った実施例である。
【符号の説明】
【００１０】  １    一塊の独立気泡体である発泡スチロールで製造された船。
２    石油タンカー
３    石油タンカーが航行している時に発生している波。
４    海
５    錘
６    錘の重量を示すベクトル。
７    浮力
８    錘の重量が浮力の反作用によって減少されたことを示すベクトル。
９    船の一方の先端から他方の先端までの距離。
１０    ほぼ同じ位置に重なる支点と力点。
１１    作用点
１２    作用を示すベクトル
１３    実験に使用した一塊の発泡スチロール。
１４    錘としての分銅。
１５    一辺の距離
１６    一辺の距離
１７    高さ
１８    水深
【図１】
2010064730.tif 000003
【図２】
2010064730.tif 000004
【図３】
2010064730.tif 000005